(57)【要約】【課題】座高を一定に保ちながら座幅のみを連続的もしくは多段階的に調節して設定できるようにする。【解決手段】下辺でメインフレームＭに回転可能に連結した前後一対のクロスバー１Ａ，１Ｂを備え、クロスバー１Ａ，１Ｂの下辺を支持する下辺パイプ２側の支持部、メインフレームＭとクロスバー１Ａ，１Ｂの交差上側との間に横架支持した平行リンク３の支持部それぞれの位置を調節することにより座高を変えずに座幅のみを変更可能にした座幅変更手段Ｐを備える。座幅変更手段Ｐは、クロスバー下辺パイプ２の両端開口部およびメインフレームＭの平行リンク保持穴に嵌装したキャップ筒状の支点軸部４と、支点軸部４を連続的もしくは多段階的に位置を変えながら係合保持する係合溝部５を備えたクロスバー保持ブロック７および平行リンク保持ブロック８を有して成る。【選択図】  図１
2004159950.tif 000002
【特許請求の範囲】
【請求項１】
下辺でメインフレームに回転可能に連結されている前後一対のクロスバーを備えた車椅子において、
クロスバーの下辺を支持する下辺パイプ側の支持部、メインフレームとクロスバーの交差上側との間に横架支持された平行リンクの支持部それぞれの位置を調節することにより座高を変えずに座幅のみを変更可能にした座幅変更手段を備えたことを特徴とする座幅可変車椅子。
【請求項２】
座幅変更手段は、クロスバー下辺パイプの両端開口部およびメインフレームの平行リンク保持穴に嵌装されるキャップ筒状の支点軸部と、支点軸部を連続的もしくは多段階的に位置を変えながら係合保持させる係合溝部を備えたクロスバー保持ブロックおよび平行リンク保持ブロックを有して成る請求項１記載の座幅可変車椅子。
【請求項３】
係合溝部は、ボルトによって支点軸部に連結させるための角形座金を連続的にスライド可能とした縦長孔部を穿設して成る長溝部と、ボルトによって支点軸部に連結させるためのストッパー機能を有する長円形座金を任意の位置に多段階的に配置可能となるよう前記長溝部に沿って離隔形成された複数の長円形溝部とによって構成されている請求項１または２記載の座幅可変車椅子。
【請求項４】
長円形溝部は、少なくとも５つが長溝部に沿って下側から上側にゆくに従って互いに間隔が広くなるように配置形成してある請求項１乃至３のいずれか記載の座幅可変車椅子。
【発明の詳細な説明】
【０００１】
【発明の属する技術分野】
本発明は、座席の幅を連続的または段階的に調整固定することができる座幅可変車椅子に関する。
【０００２】
【従来の技術】
車椅子を必要とする人が、車椅子に乗らずに旅行とかに出かける場合、自動車のトランクに車椅子を積む必要があり、コンパクトにしなければならない。
一方では車椅子のメーカが納品等で荷送りする場合でもコンパクトにする必要があり、特にレデイメード品にはそれが求められる。また、オーダーメイド品では折り畳めない車椅子もある。代表的な電動アシスト車椅子は、折り畳みを可能にするクロスバー部に駆動モータが収容されるため嵩張ってしまい、折り畳み不可能となってしまう。一般的な車椅子では座幅を狭く折り畳む方式は他にもあるが、構造の簡単さと強度面から略Ｘ形のクロスバー構造が広く用いられているのが実情である。
【０００３】
【発明が解決しようとする課題】
乗り心地の良い車椅子としては以下の要素が知られている。すなわち、車椅子の座幅は搭乗者の腰の幅より約５ｃｍ程度だけ広いのが経験的に最適とされている。また、前座高は搭乗者が車椅子に座り、足をフットレストに乗せた時、膝の裏側がシート面から約５〜７ｃｍ浮くのが最適とされている。従来の車椅子でクロスバー部の開き角度を小さくすると、座幅は狭くなるが、座高すなわち座シート自体が浮き上がってしまい搭乗者の体重を支えられないものとなってしまう。また、座シートが上がることにより、アームレストまでの高さが低くなり、最適高さといわれる２５ｃｍが得られなくなる。座幅を広くする場合、構造上、座シートパイプが座シートパイプ受けよりも下側に位置することはできない。したがって、従来の車椅子ではクロスバー部の長さ等の形状を変更することなく座幅を変更できない。車椅子を必要とする搭乗者の腰幅を採寸し、それに見合ったクロスバーを装着した車椅子を仕立てて供給する準オーダーメイド品では、座幅の寸法は、３８，４０，４２，４４ｃｍの４種類に限られており、需要者はこの限られた中からの選択を強いられる。
【０００４】
本発明は、上記従来技術の問題点を解決し、座高を一定に保ちながら座幅のみを連続的もしくは多段階的に調節して設定することができ、またその際、クロスバーを交換する必要もなく、スパナまたは簡単なナット回しを準備しておけば、熟練を要することなく簡単、確実に座幅の変更が可能となる座幅可変車椅子を提供することを目的とする。
【０００５】
【課題を解決するための手段】
上記した目的を達成するために、請求項１記載の発明は、下辺でメインフレームＭに回転可能に連結されている前後一対のクロスバー１Ａ，１Ｂを備えた車椅子において、クロスバー１Ａ，１Ｂの下辺を支持する下辺パイプ２側の支持部、メインフレームＭとクロスバー１Ａ，１Ｂの交差上側との間に横架支持された平行リンク３の支持部それぞれの位置を調節することにより座高を変えずに座幅のみを変更可能にした座幅変更手段Ｐを備えたことを特徴とする。
【０００６】
また、請求項２記載の発明は請求項１記載の発明において、座幅変更手段Ｐは、クロスバー下辺パイプ２の両端開口部およびメインフレームＭの平行リンク保持穴に嵌装されるキャップ筒状の支点軸部４と、支点軸部４を連続的もしくは多段階的に位置を変えながら係合保持させる係合溝部を備えたクロスバー保持ブロック７および平行リンク保持ブロック８を有して成ることを特徴とする。
【０００７】
また、請求項３記載の発明は請求項１または２記載の発明において  係合溝部５は、ボルトによって支点軸部４に連結させるための角形座金６Ａを連続的にスライド可能とした縦長孔部を穿設して成る長溝部５Ａと、ボルトによって支点軸部４に連結させるためのストッパー機能を有する長円形座金６Ｂを任意の位置に多段階的に配置可能となるよう前記長溝部５Ａに沿って離隔形成された複数の長円形溝部５Ｂとによって構成されていることを特徴とする。
【０００８】
また、請求項４記載の発明は請求項１乃至３のいずれか記載の発明において、長円形溝部５Ｂは、少なくとも５つが長溝部５Ａに沿って下側から上側にゆくに従って互いに間隔が広くなるように配置形成してあることを特徴とする。
【０００９】
前述の構成によれば、座幅変更手段Ｐによって座幅を連続的に変更させる場合には、先ず、クロスバー保持ブロック７、平行リンク保持ブロック８それぞれに締結されている六角ボルトをいったん緩めておき、当該六角ボルトによって支点軸部４に連結させている角形座金６Ａを長溝部５Ａに沿って上下方向に連続的にスライド移動させ、希望の座幅となる位置において六角ボルトを締め付けて固定させる。このとき角形座金６Ａを上方向にスライド移動すると座幅は広くなり、一方、下方向にスライド移動すると座幅は狭くなる。
【００１０】
一方、座幅変更手段Ｐによって座幅を多段階的に変更させる場合には、先ず、クロスバー保持ブロック７、平行リンク保持ブロック８それぞれに締結されている六角ボルトをいったん取り外しておき、当該六角ボルトによって支点軸部４に連結させている角形座金６Ａを長円形座金６Ｂに取り替えてから、長溝部５Ａに沿って離隔形成された横長の複数の長円形溝部５Ｂのうち希望の座幅となる位置に長円形座金６Ｂを嵌装してから六角ボルトによって締結固定させる。このとき上側に位置する長円形溝部５Ｂに長円形座金６Ｂを嵌装配置すると座幅は広くなり、一方、下側に位置する長円形溝部５Ｂに長円形座金６Ｂを嵌装配置すると座幅は座幅は狭くなる。
【００１１】
本発明によれば、座高を一定に保ちながら座幅のみを連続的もしくは多段階的に調節して設定することができ、またその際、クロスバー１Ａ，１Ｂを交換する必要もなく、スパナまたは簡単なナット回しを準備しておけば、熟練を要することなく簡単、確実に座幅の変更が可能となる。
【００１２】
【発明の実施の形態】
以下に、図を用いて本発明の一実施の形態について説明する。本発明による車椅子は、座高を変えずに座幅のみを変更可能となるよう下辺で左右のメインフレームＭに対しそれぞれ座幅変更手段Ｐを介して連結され、上辺で左右のメインフレームＭに回動可能に連結され、中央では互いに開閉方向に回転可能な交差連結部とした一対のクロスバー１Ａ，１Ｂより成るクロスバー組立部を備えるものである。
【００１３】
このクロスバー組立部は、図１に示すように、下辺でメインフレームＭに回転可能に連結されている前後に対向した一対のクロスバー１Ａ，１Ｂを備え、クロスバー１Ａ，１Ｂの下辺を支持するよう前後のクロスバー１Ａ，１Ｂに跨って設けられている下辺パイプ２側の支持部、メインフレームＭとクロスバー１Ａ，１Ｂの交差上側との間に横架支持された平行リンク３のメインフレームＭ側の支持部それぞれの位置を調節するための座幅変更手段Ｐを備えている。
【００１４】
すなわち、この座幅変更手段Ｐとしては、メインフレームＭに支持される左右の下辺パイプ２の両端に取り付けられた後述する計４個のクロスバー保持ブロック７と、メインフレームＭとクロスバー１Ａ，１Ｂの交差上側との間に横架支持された後部左右の平行リンク３に取り付けられた後述する計２個の平行リンク保持ブロック８との合計６個が設けられている。
【００１５】
下辺パイプ２側の支持部における座幅変更手段Ｐは、図４，図５に示すように、左右のクロスバー下辺パイプ２の両端開口部にキャップ筒状の支点軸部４がそれぞれ嵌装され、例えば六角ボルトによって支点軸部４に連結させるための角形座金６Ａを連続的にスライド可能とした中央縦長孔部を穿設して成る長溝部５Ａと、例えば六角ボルトによって支点軸部４に連結させるためのストッパー機能を有する長円形座金６Ｂを任意の位置に多段階的に配置可能となるよう前記長溝部５Ａに沿って離隔形成された横長の複数の長円形溝部５Ｂとの二重構造に構成されている係合溝部５を備えたクロスバー保持ブロック７によって形成されている。
【００１６】
この長円形溝部５Ｂは、少なくとも５つが長溝部５Ａに沿って下側から上側にゆくに従って互いに間隔が広くなるように配置形成してある。また、図２に示すように、クロスバー保持ブロック７の係合溝部５に隣接した位置には、当該クロスバー保持ブロック７をメインフレームＭに六角ボルトによって締結固定するための二股状の取付孔部５Ｃが形成されている。
【００１７】
また、メインフレームＭとクロスバー１Ａ，１Ｂの交差上側との間に横架支持された平行リンク３のメインフレームＭ側の支持部における座幅変更手段Ｐは、図６に示すように、メインフレームＭの平行リンク保持穴に嵌装されるキャップ筒状の支点軸部４を連続的もしくは多段階的に位置を変えながら係合保持させる係合溝部５を備えた平行リンク保持ブロック８によって形成されている。尚、この係合溝部５の長溝部５Ａと長円形溝部５Ｂとの構成は、前記したクロスバー保持ブロック７の場合と略同じであるので、この詳細な説明を省略する。
【００１８】
また、図６に示すように、平行リンク保持ブロック８の係合溝部５の上下両端位置には、当該平行リンク保持ブロック８をメインフレームＭに六角ボルトによって締結固定するために、係合溝部５に対して互いに反対方向にずらした箇所に取付孔部５Ｃが形成されている。
【００１９】
次に、本実施の形態における装置の使用、組立について説明する。図５に示すように、座幅変更手段Ｐによって座幅を連続的に変更させる場合には、先ず、クロスバー保持ブロック７、平行リンク保持ブロック８それぞれに締結されている六角ボルトをいったん緩めておき、当該六角ボルトによって支点軸部４に連結させている角形座金６Ａを長溝部５Ａに沿って上下方向に連続的にスライド移動させ、希望の座幅となる位置において六角ボルトを締め付けて固定する。このとき図３に示すように、角形座金６Ａを上方向にスライド移動すると座幅は広くなり、一方、下方向にスライド移動すると座幅は狭くなる。
【００２０】
座幅変更手段Ｐによって座幅を多段階的に変更させる場合には、先ず、クロスバー保持ブロック７、平行リンク保持ブロック８それぞれに締結されている六角ボルトをいったん取り外しておき、当該六角ボルトによって支点軸部４に連結させている角形座金６Ａを長円形座金６Ｂに取り替えてから、長溝部５Ａに沿って離隔形成された横長の複数の長円形溝部５Ｂのうち希望の座幅となる位置に長円形座金６Ｂを嵌装してから六角ボルトによって締結固定する。このとき図３に示すように、上側に位置する長円形溝部５Ｂに長円形座金６Ｂを嵌装配置すると座幅は広くなり、一方、下側に位置する長円形溝部５Ｂに長円形座金６Ｂを嵌装配置すると座幅は座幅は狭くなる。
【００２１】
【発明の効果】
本発明によれば、座高を一定に保ちながら座幅のみを連続的もしくは多段階的に調節して設定することができ、またその際、クロスバー１Ａ，１Ｂを交換する必要もなく、スパナまたは簡単なナット回しを準備しておけば、熟練を要することなく簡単、確実に座幅の変更が可能となる。
【図面の簡単な説明】
【図１】本発明の一実施の形態における座幅可変車椅子の構成部分を示す分解斜視図である。
【図２】同じく使用状態の一部切欠の正面図である。
【図３】同じく座幅変更手段の概略を示す一部切欠の正面図である。
【図４】クロスバー保持ブロックの組付状態を示すもので、（ａ）は正面図、（ｂ）は（ａ）のＸ−Ｘ断面図である。
【図５】クロスバー保持ブロックの分解状態を示すもので、（ａ）は正面図、（ｂ）は（ａ）のＹ−Ｙ断面図である。
【図６】平行リンク保持ブロックの実施の形態を示すもので、（ａ）は正面図、（ｂ）は（ａ）のＺ−Ｚ断面図である。
【符号の説明】
Ｐ…座幅変更手段
Ｍ…メインフレーム
１Ａ，１Ｂ…クロスバー
２…下辺パイプ
３…平行リンク
４…支点軸部
５…係合溝部
５Ａ…長溝部
５Ｂ…長円形溝部
５Ｃ…取付孔部
６Ａ…角形座金
６Ｂ…長円形座金
７…クロスバー保持ブロック
８…平行リンク保持ブロック
【図１】
2004159950.tif 000003
【図２】
2004159950.tif 000004
【図３】
2004159950.tif 000005
【図４】
2004159950.tif 000006
【図５】
2004159950.tif 000007
【図６】
2004159950.tif 000008